(57)【特許請求の範囲】
【請求項１】
建築物に組み込まれる外壁ボードの外周縁部と同一形状の外枠フレームと，該外枠フレームで囲まれた領域に対応したガラスと，及び、前記外枠フレームの内側に沿って嵌め込まれたフレーム溝とそのフレーム溝の逆側に形成され前記ガラスが嵌め込まれたガラス溝とが形成されたガスケットと，からなり、建築時に前記外壁ボードと交換可能で、しかも前記外枠フレームは、目地ガスケットを介して隣接する外壁ボードに固定されることを特徴とするユニット式の採光窓。
【請求項２】
建築物に組み込まれる外壁ボードの外周縁部と同一形状の外枠フレームと，該外枠フレームに固定され外枠フレームを２領域以上に縦分割する少なくとも一本以上の中桟フレームと，各領域に対応したガラスと，前記外枠フレームの内側に沿って嵌め込まれたフレーム溝とそのフレーム溝の逆側に形成され前記ガラスが嵌め込まれたガラス溝とが形成されたガスケットと，及び、前記中桟フレームに沿って取り付けられ隣接する領域のガラスがそれぞれ嵌め込まれる２つのガラス溝が形成された中間ガスケットと，からなり、建築時に前記外壁ボードと交換可能で、しかも前記外枠フレームは、目地ガスケットを介して隣接する外壁ボードに固定されることを特徴とするユニット式の採光窓。
【請求項３】
前記中桟フレームを室外側から外枠フレームに固定したことを特徴とする請求項２に記載のユニット式の採光窓。
【発明の詳細な説明】
【０００１】
【発明の属する技術分野】
本発明は、プレハブ住宅などの建築物に取り付けられる採光窓に関する。
【０００２】
【従来の技術】
プレハブ住宅などの建築物の例えば玄関の吹き抜け部分の採光として、一般的にアルミサッシが使用されている。
しかしながら、このようなアルミサッシの採光窓の現場での施工作業は煩雑で長時間を要する。
また、アルミサッシは湿式工法のためシール品質が安定せず、そのため耐久性がないという問題がある。その上、強度上、アルミフレームの見付け幅が一般的に大きい（通常７０ｍｍ前後）ため採光上好ましくなく、外観上見栄えも悪い。また、従来例として連窓に適用したガスケットの例として特開平９−８８２５７号公報があげられるが、結露の発生自体を防止したものは存在しなかった。
【０００３】
【発明が解決しようとする課題】
そこで請求項１乃至３に記載の発明の目的とするところは、従来のアルミサッシの有する欠点を解消した、施工作業性及び採光性に優れ、しかも安定したシール性を得ることのできるユニット式の採光窓を提供することにある。
【０００４】
特に請求項３に記載の発明の目的は、上記目的に加えて、室内側への結露の発生を防止することにある。
【０００５】
【課題を解決するための手段】
上記の目的を達成するために、本発明の請求項１に記載のユニット式の採光窓は、建築物に組み込まれる外壁ボード（１０１）の外周縁部と同一形状の外枠フレーム（１０）と，外枠フレーム（１０）で囲まれた領域に対応したガラス（ＧＸ，ＧＹ，ＧＺ）と，及び、外枠フレーム（１０）の内側に沿って嵌め込まれたフレーム溝（２１）とそのフレーム溝（２１）の逆側に形成されガラス（ＧＸ，ＧＹ，ＧＺ）が嵌め込まれたガラス溝（２２）とが形成されたガスケット（２０）と，からなり、建築時に外壁ボード（１０１）と交換可能で、しかも前記外枠フレーム（１０）は、目地ガスケット（１０４，１０５）を介して隣接する外壁ボード（１０２，１０３）に固定されることを特徴とする。
【０００６】
また、請求項２に記載のユニット式の採光窓は、建築物に組み込まれる外壁ボード（１０１）の外周縁部と同一形状の外枠フレーム（１０）と，外枠フレーム（１０）に固定され外枠フレーム（１０）を２領域以上（Ｘ，Ｙ，Ｚ）に縦分割する少なくとも一本以上の中桟フレーム（１１，１２）と，各領域（Ｘ，Ｙ，Ｚ）に対応したガラス（ＧＸ，ＧＹ，ＧＺ）と，外枠フレーム（１０）の内側に沿って嵌め込まれたフレーム溝（２１）とそのフレーム溝（２１）の逆側に形成されガラス（ＧＸ，ＧＹ，ＧＺ）が嵌め込まれたガラス溝（２２）とが形成されたガスケット（２０）と，及び、中桟フレーム（１１，１２）に沿って取り付けられ隣接する領域（ＸとＹ，ＹとＺ）のガラス（ＧＸとＧＹ，ＧＹとＧＺ）がそれぞれ嵌め込まれる２つのガラス溝（３１，３１）が形成された中間ガスケット（３０）と，からなり、建築時に外壁ボード（１０１）と交換可能で、しかも前記外枠フレーム（１０）は、目地ガスケット（１０４，１０５）を介して隣接する外壁ボード（１０２，１０３）に固定されることを特徴とする。
【０００７】
更に、請求項３に記載のユニット式の採光窓は、請求項２に記載の中桟フレーム（１１，１２）を室外側から外枠フレーム（１０）に固定したことを特徴とする。
【０００８】
なお、カッコ内の記号は図面は示し後述する発明の実施の形態の対応要素又は対応事項を示す。
【０００９】
本発明の請求項１に記載のユニット式の採光窓によれば、ガスケットを介してガラスが嵌め込まれた外枠フレームは、建築物に組み込まれる外壁ボードの外周縁部と同一形状であり、建築時に外壁ボードと交換可能であるので、ユニット式の採光窓の取り付けの際には、隣接する外壁ボードとユニット式の採光窓の外枠フレームとを目地ガスケットを介して固定すればよく、他の部材を特別に変更したりする必要はない。
また、ガスケット使用の乾式工法のためシール品質が安定し、耐久性も向上する。
【００１０】
また請求項２に記載の発明によれば、請求項１に記載の発明の作用効果に加えて、外枠フレームには外枠フレームを２領域以上に縦分割する少なくとも一本以上の中桟フレームが固定されているので強度上の向上が図られる。
【００１１】
更に請求項３に記載の発明によれば、請求項１，２に記載の発明の作用効果に加えて、中桟フレームを室外側から外枠フレームに固定したものである。これにより、熱伝導率の高いフレームは室内に露出することがなく、室内には熱伝導率の低いガスケットがくるため、結露の発生が防止されるとともに、室内空間を広くとることができる。
【００１２】
【発明の実施の形態】
図１乃至図７を参照して、本発明の実施形態に係るユニット式の採光窓１００及び他の実施形態に係るユニット式の採光窓２００について説明する。図１は、ユニット式の採光窓１００，２００が取り付けられた住宅の一例（プレハブ住宅）を示す外観斜視図である。
【００１３】
図２は本発明の実施形態に係るユニット式の採光窓１００の拡大断面図、図３は図２のＡ−Ａ線拡大断面図、図４は図２のＢ−Ｂ線拡大断面図をそれぞれ示す。ユニット式の採光窓１００は、図１に示すように、建築時にユーザーの意向により外壁ボード１０１を取り付けるかユニット式の採光窓１００を取り付けるか選択ができるように、つまり外壁ボード１０１と交換可能なように外壁ボード１０１とその形状を同一にしたものである。また、必要に応じて換気孔３０２を設けた妻フレーム（外壁付）３０１を取り付ける選択も可能である。
そこで本発明の実施形態に係るユニット式の採光窓１００は、図２乃至図４に示すように、建築物（プレハブ住宅）に組み込まれる外壁ボード１０１の外周縁部と同一形状の外枠フレーム１０と，外枠フレーム１０に固定され外枠フレーム１０を２領域以上（この実施形態例ではＸ，Ｙ，Ｚの３領域）に縦分割する少なくとも一本以上（この実施形態例では二本）の中桟フレーム１１，１２と，各領域Ｘ，Ｙ，Ｚに対応したガラスＧＸ，ＧＹ，ＧＺと，外枠フレーム１０の内側に沿って嵌め込まれたフレーム溝２１とそのフレーム溝２１の逆側に形成されガラスＧＸ，ＧＹ，ＧＺが嵌め込まれたガラス溝２２とが形成されたガスケット２０と，及び、中桟フレーム１１，１２に沿って取り付けられ隣接する領域ＸとＹ，ＹとＺのガラスＧＸとＧＹ，ＧＹとＧＺがそれぞれ嵌め込まれる２つのガラス溝３１，３１が形成された中間ガスケット３０と，から構成されている。
【００１４】
ガスケット２０は、ＣＲソリッドやＥＰＤＭソリッドなどのソリッドゴム製でかつ断面略Ｈ状のジッパーガスケットであり、フレーム溝２１とガラス溝２２間の室内側にはくさびゴムなどのジッパー２３が嵌め込まれる嵌合部２４が形成されている。中間ガスケット３０もガスケット２０と同様にＣＲソリッドやＥＰＤＭソリッドなどのソリッドゴム製のジッパーガスケットであり、ガラス溝３１，３１間の室内側にはくさびゴムなどのジッパー３３が嵌め込まれる嵌合部３４が形成されている。中間ガスケット３０の形状はガラス溝３１，３１の部分が断面略Ｈ状であり、その部分から中桟フレーム１１，１２側に取付部３５が延設されたものである。
ここで、ガスケット２０の幅及び中桟フレーム１１，１２の幅（中間ガスケット３０の幅と同等）はいずれも４０ｍｍ前後であり、従来のアルミフレーム（７０ｍｍ前後）と比較してかなり小さい。このため採光性及び外観の向上が図れる。しかも、このように見付け幅を小さくしても強度の点では従来と変わらないものである。
【００１５】
また中桟フレーム１１，１２は、外枠フレーム１０に対して室外側から固定されている。中桟フレーム１１，１２を外枠フレーム１０に室内側から固定することも可能であるが、室外側から固定することによって、熱伝導率の高いフレームを室内に露出させず、熱伝導率の低いガスケットをもってくることにより結露を防止することができる。それに加えて空間を広くとることもできる。
また、中桟フレームにおいて、中間ガスケット３０の取付部３５を保持する部分は、図３に示す符号１１のように折り返しなしでもよいし、符号１２のように折り返しありでもよいが、中間ガスケット挿入作業性の観点からは、図３に示す符号１２の場合が望ましい。また、コーナー部は、図２に示すように、ガスケットの押出成形部に型成形部８９を接合させてもよいし、図示を省略するが、押出成部同士を切り欠いて接合させてもよい。また、図２の符合９０は水抜き孔を示し、ガラスとガスケット間にたまった水を水抜き孔９０により室外に排水するようにしている。図７は図２のＤ部拡大図である。
なおガラスＧＸ，ＧＹ，ＧＺには結露を防止するため複層ガラスが使用されている。
【００１６】
以上のようなユニット式の採光窓１００を外壁ボード１０１にかえて住宅に取り付けるには、通常、外壁ボードを現場で取り付けると同様の手順で行い、図３に示すように、隣接する外壁ボード１０２，１０３とユニット式の採光窓１００の外枠フレーム１０とを目地ガスケット１０４，１０５を介して固定すればよいので、ユニット式の採光窓１００の取り付けの際に他の部材を特別に変更したりする必要はない。
【００１７】
次に本発明の他の実施形態に係るユニット式の採光窓２００について説明する。図５はユニット式の採光窓２００の拡大断面図、図６は図５のＣ−Ｃ線拡大断面図をそれぞれ示す。ユニット式の採光窓２００は、ユニット式の採光窓１００と同様に、図１に示すように、建築時にユーザーの意向により外壁ボード２０１を取り付けるかユニット式の採光窓２００を取り付けるか選択ができるように、つまり外壁ボード２０１と交換可能なように外壁ボード２０１とその形状を同一にしたものである。ユニット式の採光窓２００は外枠フレーム６０を矩形としユニット式の採光窓１００の外枠フレーム１０の形状とは異なるようにし、中桟フレーム６１を二本から一本（特に数に限定されるものではない）、それに対応して中間ガスケット８０の数を一本にした点を除けばユニット式の採光窓１００と同様である。
【００１８】
すなわち、ユニット式の採光窓２００は、図５及び図６に示すように、建築物（プレハブ住宅）に組み込まれる外壁ボード２０１の外周縁部と同一形状の外枠フレーム６０と，外枠フレーム６０に固定され外枠フレーム６０を２領域以上に縦分割する少なくとも一本以上の中桟フレーム６１と，各領域Ｘ，Ｙに対応したガラスＧＸ，ＧＹと，外枠フレーム６０の内側に沿って嵌め込まれたフレーム溝７１とそのフレーム溝７１の逆側に形成されガラスＧＸ，ＧＹが嵌め込まれたガラス溝７２とが形成されたガスケット７０と，及び、中桟フレーム６１に沿って取り付けられ隣接する領域ＸとＹのガラスＧＸとＧＹがそれぞれ嵌め込まれる２つのガラス溝８１，８１が形成された中間ガスケット８０と，から構成されている。なお、ガスケット７０，中間ガスケット８０の形状，材質はガスケット２０，中間ガスケット３０と同様である。
そして、ユニット式の採光窓２００を外壁ボード２０１にかえて住宅に取り付けるには、図６に示すように、隣接する外壁ボード２０２，２０３とユニット式の採光窓２００の外枠フレーム６０とを目地ガスケット２０４，２０５を介して固定すればよいので、ユニット式の採光窓２００の取り付けの際に他の部材を特別に変更したりする必要はない。
【００１９】
なお、ユニット式の採光窓１００，２００では、外枠フレーム１０，６０内に中桟フレーム１１，１２，６１とこれに対応する中間ガスケット３０，８０を設けたが、ユニット式の採光窓が小さいもので強度上特に問題なければ、中桟フレーム及び中間ガスケットを設けることなく１枚ガラスだけをガスケットに嵌め込むようにして十分な光を得るようにすることも可能である。
【００２０】
【発明の効果】
以上のとおり、本発明の請求項１に記載のユニット式の採光窓によれば、他の部材を特別に変更することなく、ユーザーの意向により建築時に外壁ボードと交換可能であるので、実用的である。また、ガスケット使用の乾式工法のためシール品質が安定し、耐久性も向上する。
このようにユニット化を図れるので、現場での作業が廃止でき工場内生産とすることでき、その上見付け幅を従来のアルミフレームの見付け幅（通常７０ｍｍ前後）よりもかなり狭く（４０ｍｍ前後）して採光性，外観性を向上させることもできる。これにより、断熱効率の高い住宅にすることもできる。
【００２１】
また請求項２に記載の発明によれば、請求項１に記載の発明の作用効果に加えて、外枠フレームには外枠フレームを２領域以上に縦分割する少なくとも一本以上の中桟フレームが固定されているので強度上の向上が図られる。
【００２２】
更に請求項３に記載の発明によれば、請求項１，２に記載の発明の作用効果に加えて、中桟フレームを室外側から外枠フレームに固定したものである。これにより、熱伝導率の高いフレームは室内に露出することがなく、室内には熱伝導率の低いガスケットがくるため、結露の発生が防止されるとともに、室内空間を広くすることができる。
【図面の簡単な説明】
【図１】本発明の実施形態に係るユニット式の採光窓１００及び他の実施形態に係るユニット式の採光窓２００が取り付けられた住宅の一例を示す外観斜視図である。
【図２】図１に示すユニット式の採光窓１００の拡大断面図である。
【図３】図２のＡ−Ａ線拡大断面図である。
【図４】図２のＢ−Ｂ線拡大断面図である。
【図５】図１に示すユニット式の採光窓２００の拡大断面図である。
【図６】図５のＣ−Ｃ線拡大断面図である。
【図７】図２のＤ部拡大図であり、（ａ）は（ｂ）のＥ−Ｅ線断面図であり、（ｃ）は（ｂ）のＦ−Ｆ線断面図である。
【符号の説明】
１０        外枠フレーム
１１，１２  中桟フレーム
２０        ガスケット
２１        フレーム溝
２２        ガラス溝
２３        ジッパー
２４        嵌合部
３０        中間ガスケット
３１        ガラス溝
３３        ジッパー
３４        嵌合部
３５        取付部
６０        外枠フレーム
６１        中桟フレーム
７０        ガスケット
７１        フレーム溝
７２        ガラス溝
７３        ジッパー
３５        取付部
８０        中間ガスケット
８１        ガラス溝
８３        ジッパー
８４        嵌合部
８５        取付部
８９        型成形部
９０        水抜き孔
１００        ユニット式の採光窓
１０１        外壁ボード
１０２，１０３  外壁ボード
１０４，１０５  目地ガスケット
２００        ユニット式の採光窓
２０１        外壁ボード
２０２，２０３  外壁ボード
２０４，２０５  目地ガスケット
【図１】
0003845498.tif 000002
【図２】
0003845498.tif 000003
【図３】
0003845498.tif 000004
【図４】
0003845498.tif 000005
【図５】
0003845498.tif 000006
【図６】
0003845498.tif 000007
【図７】
0003845498.tif 000008